(57)【要約】  摩擦媒体を用いて部品に回転運動及び遠心運動を受けさせることによりこれら部品をプロセス処理するための垂直型のプロセッサ（１０）が提供される。プロセッサには、外側ドラム（３２）と、外側ドラム内に位置決めした複数の内側容器（３４）とが含まれる。内側容器は、遠心運動により外側ドラムの内側表面と係合する。各内側容器は開放上部を有する。駆動システムが内側容器を外側ドラム内で遠心駆動させる。蓋（６２）が各内側容器を閉じるために各内側容器と着脱自在に係合する。各蓋には内側容器から蓋を持ち上げるためのリフト機構が取り付けられる。
2007521141.tif 000002
【特許請求の範囲】
【請求項１】
垂直型のプロセッサであって、
内側表面を有する外側ドラムと、
該外側ドラム内に位置決めされ、開放上部を有し、駆動されると遠心運動により外側ドラムの内側表面と係合するようになっている複数の内側容器と、
内側容器を外側ドラム内で遠心駆動するための駆動システムと、
内側容器を閉じるために各内側容器と着脱自在に係合するようになっている蓋と、
各蓋に取り付けられ、内側容器から該蓋を持ち上げるようになっているリフト機構と、
を含むプロセッサ。
【発明の詳細な説明】
【技術分野】
【０００１】
本発明は製品を高速でプロセス処理するための装置に関し、詳しくは、蓋取りアセンブリを含む垂直軸式の改良プロセッサに関する。
【背景技術】
【０００２】
製品の表面をプロセス処理するための様々な方法及び装置が長年に渡り開発されてきている。ある装置では、回転する容器から付与される遠心力を摩擦媒体と組み合わせて用いることにより製品を仕上げている。こうしたタイプの装置の多くは、遠心力及び回転力を対象とする複雑なギヤ構成を用いるものであり、その回転速度対転回速度（ｒｅｖｏｌｕｔｉｏｎａｌ  ｓｐｅｅｄ）比は特定の値に限定される。また、これら既存の装置の構造は複雑であり、数多くの可動部品を必要とする上に、一般に極めて騒々しい。別形式の装置では、容器を軸の周りに回転させて遠心力を創出し、軸及び容器の外側に沿って巻き付けたベルトにより回転力を発生させている。この形式の装置の場合、ベルト速度が軸速度に直接関係するために、ベルト速度が過剰になると装置はオーバーヒートしてしまう。
【０００３】
従来装置の多くにおける主たる欠点の一つは、回転部品をベアリングで支持することである。この構成故に、従来装置の速度や作動寿命はベアリングの最大能力によって決まり、回転する容器をベアリングで支える装置では、ベアリングの振動耐性もあまり良くないことから運転速度もかなり遅くなる。
【０００４】
ギヤシステムを持たない簡単な設計形状を有し、非常に高速で運転することのできる、遠心力及び回転力の両方を用いる装置の成功例が米国特許第５，３５５，６３８号に記載される。前記米国特許の装置では、垂直型の遠心力フィニッシャ（あるいはポリッシャ）に回転自在の外側容器が設けられ、この外側容器の軸の周囲を回転し且つ自身の軸を中心としても回転する内側容器が少なくとも一つ設けられる。外側容器の内側表面と内側容器の外側表面との間には牽引面が設けられる。この牽引面により、内側容器が遠心力を受ける間、外側容器が内側容器を拘束し得るようになる。また同時に、この装置では外側及び内側の各容器間の速度及び恐らくは方向上の差によって生じる運動量が、内側容器を転回させるために使用される。
この米国特許には、外側容器及び内側容器を回転させるためにセンタードライブを使用することのできる装置も開示される。
【０００５】
米国特許第５，８４８，９２９号には、遠心力及び回転力を共に用いる装置の別の例が示される。この装置では、ずっと大型の物品を、装置ユニットに過剰なエネルギー及び力を付加する必要無く仕上げ得るようにした、固定外側容器を備えた垂直型の遠心力フィニッシャが記載される。加えて、この装置では、外側容器を交換する必要無く装置ユニット内で様々な直径の容器が使用され得るよう、内側容器が取り外し可能になっている。
米国特許第５，３５５，６３８号及び同第５，８４８，９２９号の装置によれば回転プロセス処理分野における有意の改善が提供されるものの、これらの装置が胴部あるいは容器の開閉を自動化し、製品及び媒体の積み下ろしを容易化するための機構を持つ点に関する説明は含まれない。
【０００６】
【特許文献１】米国特許第５，３５５，６３８号明細書
【特許文献２】米国特許第５，８４８，９２９号明細書
【発明の開示】
【発明が解決しようとする課題】
【０００７】
プロセス処理用容器の内側へのアクセスを容易化するための自動蓋システムを含む改良された垂直型のプロセッサに対する需要を満たすことである。
【課題を解決するための手段】
【０００８】
本発明は、部品を、これら部品に摩擦媒体を用いて回転運動及び遠心運動を受けさせることによりプロセス処理するための、改良された垂直型のプロセッサを提供することに関するものである。このプロセッサには、内側表面を有する外側ドラムと、この外側ドラム内に位置付けられ且つ遠心運動によって駆動されて外側ドラムの内側表面と係合するようにした複数の内側容器とが含まれる。内側容器と外側ドラムとが係合することで各容器に回転運動が発生され、各容器は開放上部を有している。
外側ドラムに抗して内側容器を遠心力駆動するための駆動システムが設けられる。この駆動システムは、外側ドラムを回転させて各容器の運動を一層増長させるためにも使用され得る。
【０００９】
各容器には、容器を閉じるためにこの容器と着脱自在に係合するようにした蓋も含まれる。蓋は、容器から蓋を持ち上げて取り外すための設計形状としたリフト機構に取り付けられる。
本発明の上述の及びその他の特徴及び利益は図面に例示する如き好ましい実施例に関する以下の詳細な説明を参照することにより明らかとなろう。本発明は、本発明から逸脱することなく、種々の全ての様相において改変し得るものである。従って、図面及び説明は本来例示的なものであり、これらに限定されるものではない。
【発明を実施するための最良の形態】
【００１０】
全図面を通じて同じ参照番号は同じ要素を表す図面を参照するに、図１及び図２には本発明の１実施例に従う垂直型プロセッサ１０の概略図が示される。垂直型プロセッサ１０は、支持構造を形成するフレームアセンブリ１２と、プロセッサのための安全ハウジングとを含んでいる。フレームアセンブリ１２は、フレーム構造１６に取り付けたフレームカバー１４を含み、フレームカバーの一つ以上は、プロセッサへのアクセスを容易にするべくフレーム構造１６から取り外すことが可能である。例示した実施例では、フレームアセンブリ１２は、プロセス処理アセンブリ１８をその内部に位置付けるエンクロージャを構成する。フレームカバーは、このプロセス処理アセンブリ１８に異物が入り込まないようプロセス処理アセンブリ１８へのアクセスを制限する。
【００１１】
フレーム構造１６は管状スチールあるいはその他の高強度部品から好ましく作製される。図２に示されるように、フレーム構造は垂直カラム２０と水平ビーム２２とを含み、垂直カラム２０は、地面に固定するべく好ましく設計した脚部２４を含んでいる。脚部２４は、フレーム構造１６から地面に伝わる振動を最小化あるいは減衰するための、ゴム材のような振動絶縁体を含み得る。水平ビーム２２は、これをグループ化し、図２に示すような箱型構造を形成させることが好ましい。こうすることで、プロセッサによってフレーム構造１６に付与される様々な負荷に対応するための強力な支持が提供される。
【００１２】
図３を参照するに、プロセス処理アセンブリ１８の斜視図が示される。以下に詳しく説明するように、プロセス処理アセンブリ１８は回転プロセッサ２６と、駆動機構２８と、蓋アセンブリ３０とを含む。明瞭化のために、図３では外側環状リングあるいは外側ドラムは示されない。外側ドラムは、以下に説明する如く、回転プロセッサ２６の一部を形成する。フレーム構造１６は、これらの各部品を支持する自己収納型アセンブリを提供することが好ましい。
【００１３】
図３及び図４には回転プロセッサ２６の詳細が例示される。回転プロセッサ２６は外側の環状のドラム３２を含む。以下、簡略化のために、この外側の環状のドラム３２は外側ドラムとして参照される。例示した実施例には円筒形状の外側ドラムが含まれるが、任意形状の外側ドラムを使用することができる。外側ドラムは、米国特許第５，３５５，６３８号及び同第５，８４８，９２９号に記載されるように、プロセス処理容器がそこに沿って転動し得る表面を提供し、フレーム構造１６に固定されるか、あるいはもっと好ましくは回転自在に取り付けられあるいは支持され得、内部にはプロセス処理用の複数の内側容器３４が位置付けられる。内側プロセス処理容器３４は、以下に詳しく説明するように、外側ドラム３２とは独立して駆動されるように取り付けられる。例示した実施例では外側ドラム３２の内側表面は円筒形状である。そうすることで、やはり好ましくは円筒形状である内側容器３４が外側ドラム３２の内側周囲に沿って駆動され（つまり内側表面に沿って回転し）、かくして外側ドラムの中心軸線の周りを回転する。
【００１４】
外側ドラム３２は、中心駆動軸３６を中心として配置するのが好ましく、中心駆動軸３６は一つ以上のベアリング３８を介してフレーム構造１６に取り付けられ、それ故、その垂直軸を中心としてフレーム構造に関して回転することができる。中心駆動軸３６の一部分の周囲にはドラム軸４０が配置される。ドラム軸４０は水平ビームに取り付けた２つのベアリング４２により支持され、中心駆動軸３６のみならずフレーム構造１６に関しても自由回転する。外側ドラム３２はベアリング４２を介してドラム軸４０に取り付けられる。ベアリング４２は、外側ドラム３２とドラム軸４０とが組み合わせ状態で相対回転するようにドラム軸４０と外側ドラム３２とに取り付けられる。
【００１５】
一つ以上のロール４４（図３に示される）がフレーム構造１６に取り付けられ、外側ドラム３２の外側表面と接触するように位置付けられる。各ロール４４により、外側ドラムに横方向の支持が提供される一方、外側ドラムが中心軸線の周囲を回転することが出来るようになる。
外側ドラムとドラム軸とは、高い遠心負荷に耐え得るよう、例えばスチールのような高強度材料から作製することが好ましい。
【００１６】
図５を参照するに、回転プロセッサ２６の平面図が示され、内側容器３４のタレット取り付け構成が例示されている。詳しくは、中央ディスク４６が、この中央ディスク４６と中心駆動軸３６とが組み合わせ状態で相互に回転するように、容器マウント４８を介して中心駆動軸３６に取り付けられる。
【００１７】
内側容器３４は中央ディスク４６の周囲に沿って取り付けられる。この取り付け構成は米国特許第５，３５５，６３８号に示されるものと類似のものであるが、本発明ではピボット連結部が組み込まれている。詳しく説明すると、複数のＵ字マウント（ｃｌｅｖｉｓ  ｍｏｕｎｔ）５０が中央ディスク４６の円周方向に間隔を置いて取り付けられる。図示されるように、各Ｕ字マウント５０は各一つの内側容器３４と関連付けられる。Ｕ字マウント５０及び内側容器３４は、中心駆動軸３６の周囲で実質的にバランスの取れた状態となるように配列することが好ましい。各Ｕ字マウント５０には離間した二本の脚５２が含まれ、各脚５２は図５及び図６Ａに示すようにリフトアーム５４に沿って伸延する設計形状とされる。
【００１８】
各脚及びリフトアーム５４を通してピン５６が伸延され、これらのピンがリフトアーム５４とＵ字マウント５０との間のピボットあるいはヒンジ連結部を提供する。かくして、リフトアームは、例示した実施例では水平のピンの中心を貫く軸を中心としてピボット廻動することができる。リフトアーム５４は、ボルトのような従来の任意の締め付け機構を介してベアリングブロック５８に取り付けられる。
【００１９】
内側容器３４は米国特許第５，３５５，６３８号に例示される説明される容器と類似のものであるのでその詳細はここでは説明されない。取付けピンあるいは取付け軸６０が容器３４の底部の実質的に中心に取り付けられ、この底部から下方に伸延される。取付け軸６０は、ベアリングブロック５８の孔に形成した少なくとも一つ、より好ましくは二つのベアリング６１内に滑り込むような設計形状のものとされる。
【００２０】
ベアリング６１は、外側ドラムに関する内側容器３４の初期位置及び初期整合を提供する設計形状とされる。詳しくは、取付け軸６０とベアリング６１とは、内側容器の垂直軸と外側ドラムの垂直軸との間に平行性を提供し、かくして内側容器３４と外側ドラム３２とを垂直な接触線に実質的に沿って接触させる。これにより、運転中の負荷を移行させるための最も効果的な機構が提供される。
【００２１】
本発明の主たる利益の一つは、内側容器３４と外側ドラム３２とが接触することによる相互作用を主に（そして好ましくはほぼ全部を）介して、遠心力負荷に対する反作用を提供することである。この形式の支持によれば、内側容器を支持するベアリングから全ての負荷が除去され、かくして内側容器は、そうでない場合に可能であったよりも相当に大きな負荷にも耐え得るようになる。
【００２２】
垂直軸とベアリングとの間に初期平行を提供することにより、各ベアリングは、遠心力負荷が内側容器（及び中身の）重量による負荷よりも小さい場合においてのみ支持を提供するようになる。そして遠心力負荷が内側容器の負荷よりも大きくなると、容器の支持力が外側ドラムに移行される。しかしながら、内側容器及び外側ドラムの各軸が整合していないと若干の圧力傾斜が生じ、ベアリングにある程度の負荷が残留され得る。本発明では、外側ドラム３２に関して内側容器３４を初期整合させるためにベアリング６１及び軸６０が使用される。
【００２３】
図３、４、６Ａ、６Ｂを参照するに、蓋アセンブリ３０が示され、内側容器３４を自動開閉するための設計形状を有している。蓋アセンブリ３０は内側容器３４の開放上部と合致し且つ実質的にシールする設計形状とした複数の蓋６２を含む。各蓋６２はカバープレート６４と、実質的に切頭円錐形状のシール６６とを含み、切頭円錐形状の傾斜が、内側容器３４と蓋６２との間に良好なシール表面を提供する上で役立つものとなる。シール６６は弾性材料、例えばエラストマー（例えばゴム）、ウレタンあるいはフォームから作製するのが好ましいが、その他の形式のシール材料を使用することもできる。密着シールを提供させるにはもっと柔らかいゴム、例えば、９５ジュロメータのものよりも７０ジュロメータのゴムを使用する方が良く、相当に高精度のベアリング６１を組み込むことが可能ともなり、それによりシステムは著しく静音化される。
【００２４】
蓋６２はボルトその他の従来からの締め具を用いてリフトブロック６８に取り付けられる。リフトブロック６８にはスラストベアリング６９が取り付けられ、このスラストベアリングが締め具を受ける。スラストベアリング６９は、蓋６２をリフトブロック６８上に保持する一方で、蓋が内側容器３４との組み合わせ状態で回転することができるようにする。
【００２５】
蓋６２はリフトブロック６８はヒンジを介してリフトアーム５４の上端に取り付けられる。これにより、蓋６２が図６Ｂに示すように内側容器３４の上部から離れる方向にピボット廻動し得るようになり、内側容器３４の内部へのアクセスが可能となる。蓋が内側容器３４から離れると、内側容器３４を取り外して交換することも比較的容易になる。本発明における蓋アセンブリのその他の利益は、装置運転中はリフトブロック６８が内側容器３４上に蓋６２を押し付ける設計形状を有していることである。詳しくは、リフトブロック６８の平面の下方の位置にヒンジを位置付けることにより、運転中にこのリフトブロック６８に行使される遠心力あるいは旋回力がリフトブロックを内側容器上に押し付けるようになる。これにより、装置運転中に蓋あるいはヒンジが破壊された場合でも蓋が飛び去ることがなくなるので安全上著しく大きな利益が提供される。本発明ではヒンジは、装置が停止されるまでしかるべき位置に止まっている。
【００２６】
リフトブロック６８にラグ７０が形成される。図示されるように、ガススプリング７２がラグ７０の一端にピン留めされる。ガススプリング７２の他端はリフトプレート７４にピン留めされる。ガススプリング７２はＭＣＭ９４１６Ｋ１４であることが好ましく、蓋６２を閉じた時に所望量の前負荷を付加して蓋６２を正しくシールするような設計形状のものとされる。この前負荷が、傾斜状態のシール６６を内側容器上に押し付けて正しく座着させる。ガススプリング７２が内側容器３４に関して角度を有することと、内側容器３４がその支持体にヒンジ連結されることとにより、ガススプリング７２は内側容器３４を外側ドラム３２の内側表面と接触する状態に付勢する。これにより、内側容器３４は閉鎖された直後に外側ドラムと接触し、結局、装置が運転されると直ちに内側容器内の各部品に上下に長いサイクロイド運動を生じさせ、各部品を内側容器３４の壁から離れた状態に維持する。
【００２７】
リフトプレート７４は中心駆動軸３６の上部を中心として配置することが好ましい。例示した実施例では、この中心駆動軸３６の上端にスプライン軸７６が取り付けられ、このスプライン軸がリフトプレート７４を貫いて上方に伸延されている。リフトプレート７４は、このリフトプレートと中心駆動軸３６とが組み合わせ状態で相互に回転するようにスプライン軸７６に取り付けられる。詳しくは、リフトプレート７４をスプライン軸７６に取り付けるためにスプラインリニアベアリング７８が用いられる。スプラインリニアベアリング７８は、リフトプレート７４がスプライン軸７６に関して垂直方向に移動できるようにすると同時に、スプライン軸７６の回転運動力をリフトプレート７４に移行させる。
【００２８】
リフトプレート７４にはリフトマウント８０が取り付けられる。少なくとも一つ、より好ましくは複数の軸８２が、その一端の位置でリフトマウント８０に取り付けられる。軸８２の他端は上方リフトプレート８４に取り付けられる。上方リフトプレート８４は結局はリニアアクチュエータ８６に取り付けられ、このリニアアクチュエータ８６はフレーム構造１６によって支持される。
リニアアクチュエータ８６は、装置の運転に際してコントローラからの指令に応じて上下に移動されると軸８２及びリフトプレート７４を作動させる。即ち、リニアアクチュエータが上方に移動するとリフトプレート７４がリフトブロック６８をピボット廻動させ、これにより蓋６２が内側容器３４から外れ、内側容器が開放される。逆にリニアアクチュエータが下方に移動するとリフトプレート７４が駆動されてリフトブロック６８が下方に移動し、蓋６２は閉じる。
【００２９】
以下に図３及び図４を参照して駆動アセンブリを説明する。駆動機構あるいはアセンブリ２８は、好ましくは減速機９６を介して一つ以上のスプロケット９２、９４を回転駆動させるモータ９０を含んでいる。例示した実施例ではモータ９０は２つのスプロケットを駆動する。第１スプロケット９２は外側ドラム３２を回転させるために使用され、第２スプロケット９４は内側容器３４を回転させるために使用される。外側ドラム３２を駆動させたくないのであれば第１スプロケットは不要である。
【００３０】
モータ軸のトルクを駆動軸に伝えるための、例えばギヤドライブ、チェーンドライブ、プーリーのような様々の装置及びシステムがあるが、ここでは本発明に使用することのできる１形態のスプロケットシステムのみが説明される。
駆動システムには、第１スプロケット９２及びドラムスプロケット１００の周囲に配置した第１ベルト９８が含まれる。ドラムスプロケット１００は、ドラム軸４０との組み合わせ状態で回転するようにスプラインを有し、あるいはそうでなければドラム軸４０の下端に取り付けられる。第１ベルト９８に隣り合って第１ベルトテンショナ１０２が位置決めされる。ベルトテンショナはベルト駆動システムに張力を与えるものとして斯界によく知られている。
【００３１】
第２ベルト１０４が、第２スプロケット９４及び容器スプロケット１０６の周囲に配置される。容器スプロケット１０６は容器スプロケット１０６と中心駆動軸３６とが組み合わせ状態で回転するようにスプラインを有し、あるいはそうでなければ中心駆動軸３６の下端に取り付けられる。ベルト１０４に隣り合って第２ベルトテンショナ１０８も位置決めされる。
【００３２】
駆動システムは米国特許第５，３５５，６３８号及び同第５，８４８，９２９号に記載されると同様の様式下に制御されるのでこれ以上の説明はなされない。各スプロケットの寸法は、外側ドラムと内側容器との間に所望の相対速度が提供されるように選択される。
モータの速度及び回転方向のためのみならず、蓋アセンブリを持ち上げるリニアアクチュエータを作動させるために、信号プロセッサのようなコントローラ２００（図１に示される）、電子あるいはデジタルコントローラあるいはその他形式の制御システムが使用される。コントローラは当業者には既知であるのでこれ以上の議論はなされない。
【００３３】
先に、また米国特許第５，３５５，６３８号に説明されるように、内側容器３４の一部分と外側ドラム３２の内側表面との間に牽引インターフェースとしての牽引面が好ましく設けられる。牽引面は、内側容器３４を外側ドラムの内側表面に沿って転動せしめ、かくして内側容器に回転運動を付与する。牽引面は、外側ドラムが異なる回転速度で回転し、また恐らくは回転運動とは異なる方向で回転する時、この外側ドラムの運動量を内側容器に伝えることにより内側容器を旋回させる。
【００３４】
牽引面により、複雑なギヤシステムあるいは容器毎にベルトを設ける必要が無くなるので、装置は保守条件が従来のものよりも少ない簡易なものとなる。牽引面を使用することにより、装置全体の振動も大幅に低減され、装置の運転は従来の多くの装置と比較してずっと低温下且つ静音下に運転されるようになる。
例示した実施例では牽引面１５０は、弾性を有し且つ静止摩擦係数の大きい、例えばゴムあるいはウレタンのような比較的軟質の材料製のリングとして形成される。牽引面は、用途に応じて柔〜剛範囲での圧縮性を有し得る。牽引面の詳細は米国特許第５，３５５，６３８号及び同第５，８４８，９２９号に説明されているのでここではその説明はなされない。
【００３５】
本発明は、容器内に配置した物品に高い遠心力及び回転力を生じさせることを意図したものである。本発明に付随する高い負荷を収受するために、内側容器及び外側ドラムはスチールのような高強度材料から作製されるべきである。フレーム構造及び駆動システムもまた、予測される高い負荷を収受するような設計形状のものとすべきである。当業者は、本発明に関連して予測される速度及び負荷を支持するための適宜の材料を容易に選択し得るものである。
【００３６】
本発明を用いることにより物品に生じる高い遠心力及び回転力は、仕上げを含むプロセス処理を高速且つ精密に実施するために使用し得、かくして、高品質で優れた製品が製造され得る。本発明において容器内に収納した摩擦媒体及び製品に生じる高い速度により、プロセス処理するべき製品の表面には冷間塑性変形が生じる。これに限定するものではないが、本発明を使用してプロセス処理し得る種々の物品には、米国特許第５，３５５，６３８号及び同第５，８４８，９２９号に記載する任意の製品が含まれる。
以上、本発明を実施例を参照して説明したが、本発明の内で種々の変更をなし得ることを理解されたい。
【図面の簡単な説明】
【００３７】
【図１】本発明に従う垂直型プロセッサの斜視図である。
【図２】外側のフレームカバーを除去してフレーム構造を示す、図１の垂直型プロセッサの斜視図である。
【図３】フレーム構造及びドラムを除去して蓋機構及びプロセッサのための駆動システムを例示する、図３の垂直型プロセッサの斜視図である。
【図４】図１を線４−４に沿って切断した断面図である。
【図５】図１を線５−５に沿って切断した断面図である。
【図６Ａ】蓋アセンブリの一部分と共に示す内側容器の側面図である。
【図６Ｂ】蓋を開放位置に位置決めした状態での図６Ａの内側容器の側面図である。
【符号の説明】
【００３８】
１０  垂直型プロセッサ
１２  フレームアセンブリ
１４  フレームカバー
１６  フレーム構造
１８  プロセス処理アセンブリ
２０  垂直カラム
２２  水平ビーム
２４  脚部
２６  回転プロセッサ
２８  駆動機構
３０  蓋アセンブリ
３２  外側ドラム
３４  内側容器
３６  中心駆動軸
３８  ベアリング
４０  ドラム軸
４２  ベアリング
４４  ロール
４６  中央ディスク
４８  容器マウント
５０  Ｕ字マウント
５２  脚
５４  リフトアーム
５６  ピン
５８  ベアリングブロック
６０  取付け軸
６１  ベアリング
６２  蓋
６４  カバープレート
６６  シール
６８  リフトブロック
６９  スラストベアリング
７０  ラグ
７２  ガススプリング
７４  リフトプレート
７６  スプライン軸
７８  スプラインリニアベアリング
８０  リフトマウント
８２  軸
８４  上方リフトプレート
８６  リニアアクチュエータ
９０  モータ
９２  第１スプロケット
９４  第２スプロケット
９６  減速機
９８  第１ベルト
１００  ドラムスプロケット
１０２  第１ベルトテンショナ
１０４  第２ベルト
１０６  容器スプロケット
１０８  第２ベルトテンショナ
１５０  牽引面
２００  コントローラ
【図１】
2007521141.tif 000003
【図２】
2007521141.tif 000004
【図３】
2007521141.tif 000005
【図４】
2007521141.tif 000006
【図５】
2007521141.tif 000007
2007521141.tif 000008
2007521141.tif 000009
【手続補正書】
【提出日】平成18年7月6日(2006.7.6)
【手続補正１】
【補正対象書類名】特許請求の範囲
【補正対象項目名】全文
【補正方法】変更
【補正の内容】
【特許請求の範囲】
【請求項１】
垂直型のプロセッサであって、
内側表面を有する外側ドラムと、
該外側ドラム内に位置決めされ、開放上部を有し、駆動されると遠心運動により外側ドラムの内側表面と係合するようになっている複数の内側容器と、
内側容器を外側ドラム内で遠心駆動するための駆動システムと、
内側容器を閉じるために各内側容器と着脱自在に係合するようになっている蓋と、
各蓋に取り付けられ、内側容器から該蓋を持ち上げるようになっているリフト機構と、
を含むプロセッサ。
【請求項２】
内側容器が、ベアリングブロックに回転自在に取り付けられ、ベアリングブロックが、駆動システムの回転部材にピボット廻動自在に取り付けられ、ピボット取付け部分の、駆動システムの回転軸に対して水平な軸の周囲でピボット廻動する請求項１のプロセッサ。
【請求項３】
少なくとも一つの内側容器の蓋が、ベアリングブロックにピボット廻動自在に連結される請求項２のプロセッサ。
【請求項４】
少なくとも一つの内側容器の蓋が、外側ドラムの半径方向に関し、内側容器より内側にある軸の周囲をピボット廻動自在に取り付けられ、該軸が、蓋の中心を通る半径方向軸から、該蓋が内側容器に対して閉じられる際に移動する方向にオフセットされる請求項１〜３の何れかのプロセッサ。
【請求項５】
リフト機構が、少なくとも一つの蓋を開閉するためのリンク機構を含み、該リンク機構が、蓋を閉じたままにしておくように押し付ける弾性要素を含んでいる請求項１〜４の何れかのプロセッサ。
【請求項６】
弾性要素が、蓋が閉じられる際にその長さ方向に沿って圧縮動作するガススプリングである請求項５のプロセッサ。
【請求項７】
弾性要素により行使される、蓋を閉じたままにしておくように押し付ける力が、蓋を取り付けた内側容器を外側ドラムの内側表面に押し付ける請求項５あるいは６のプロセッサ。
【請求項８】
蓋が閉じた状態ではリンク機構は、該リンク機構の半径方向外側の端部を蓋に取り付けた状態において半径方向及び軸方向に関してある角度を有し、リフト機構が、リンク機構の半径方向内側の端部を蓋から離れる方向に移動させると蓋が開放される請求項７のプロセッサ。
【請求項９】
リフト機構が、外側ドラムの軸線に沿って可動のリフトマウントにして、駆動システムと共に回転自在であり且つ蓋に連結したリフトマウントを含む請求項１〜８の何れかのロセッサ。
【請求項１０】
蓋が、該蓋の半径方向内側の軸を中心としてピボット廻動自在に取り付けられ、リフトマウントが軸方向に動作すると蓋の外側部分が軸方向に移動する請求項９のプロセッサ。
【手続補正２】
【補正対象書類名】明細書
【補正対象項目名】００２５
【補正方法】変更
【補正の内容】
【００２５】
リフトブロック６８はヒンジを介してリフトアーム５４の上端に取り付けられる。これにより、蓋６２が図６Ｂに示すように内側容器３４の上部から離れる方向にピボット廻動し得るようになり、内側容器３４の内部へのアクセスが可能となる。蓋が内側容器３４から離れると、内側容器３４を取り外して交換することも比較的容易になる。本発明における蓋アセンブリのその他の利益は、装置運転中はリフトブロック６８が内側容器３４上に蓋６２を押し付ける設計形状を有していることである。詳しくは、リフトブロック６８の平面の下方の位置にヒンジを位置付けることにより、運転中にこのリフトブロック６８に行使される遠心力あるいは旋回力がリフトブロックを内側容器上に押し付けるようになる。これにより、装置運転中に蓋あるいはヒンジが破壊された場合でも蓋が飛び去ることがなくなるので安全上著しく大きな利益が提供される。本発明ではヒンジは、装置が停止されるまでしかるべき位置に止まっている。
【国際調査報告】
2007521141.tif 000010